(57)【要約】  リレーアタックからシステムを防御するための、車両及び外部デバイスに組み込まれたBluetooth Low-Energy（ＢＬＥ）受動型車両アクセス制御システムが提供される。本システムは、当該システムの現在の位置を特定するように構成された位置受信機を含む。本システムの位置は、緯度及び経度、高度、又は、それらの組合せの形態であり得る。本システムは、車両及び外部デバイスをさらに含む。位置受信機を、車両、外部デバイス又はその両方に組み込むことができる。プロセッサは、位置受信機を任意の個数の無線トランシーバに通信可能に結合する。任意選択的に、車両及び外部デバイスの両方の現在の位置を比較するように構成された比較器を、位置受信機及びプロセッサに結合することができる。磁界を生成するための任意の数の電磁石を車両内に設置し、トランシーバに隣接して配置することができる。外部デバイスの磁力計は、磁界の強度を測定し、秘密の磁気キーによって磁界を暗号化し、暗号化された磁界を車両に返送する。
2020521073.tif 000002
【特許請求の範囲】
【請求項１】
車両と、
前記車両に通信可能に結合された外部デバイスと、
前記車両及び前記外部デバイスのうちの少なくとも一方の座標を特定するように構成されている位置受信機アセンブリと、
前記位置受信機アセンブリに通信可能に結合されたプロセッサであって、前記車両の座標と前記外部デバイスの座標とが一致しない場合に、前記車両と前記外部デバイスとの間の通信を無効化するプロセッサと、
を含むＢＬＥ（Bluetooth Low Energy）受動型車両アクセス制御システム。
【請求項２】
前記位置受信機アセンブリは、第１の位置受信機及び第２の位置受信機を含み、
前記第１の位置受信機は、前記車両の座標を特定し、前記第２の位置受信機は、前記外部デバイスの座標を特定する、
請求項１に記載のＢＬＥ受動型車両アクセス制御システム。
【請求項３】
前記座標は、前記車両及び前記外部デバイスの緯度及び経度と、高度とのうちの少なくとも１つを含む、
請求項２に記載のＢＬＥ受動型車両アクセス制御システム。
【請求項４】
前記車両の座標と前記外部デバイスの座標とを比較するように構成されている比較器をさらに含む、
請求項３に記載のＢＬＥ受動型車両アクセス制御システム。
【請求項５】
前記位置受信機アセンブリは、全地球測位システム（ＧＰＳ）である、
請求項２に記載のＢＬＥ受動型車両アクセス制御システム。
【請求項６】
前記車両によって生成された磁界の強度を測定し、測定された前記磁界を秘密の磁気キーによって暗号化し、測定された前記磁界を暗号化された秘密の磁気キーと共に前記車両に返送するように構成されている磁力計をさらに含む、
請求項２に記載のＢＬＥ受動型車両アクセス制御システム。
【請求項７】
前記磁力計は、前記外部デバイス内に配置されている、
請求項６に記載のＢＬＥ受動型車両アクセス制御システム。
【請求項８】
前記外部デバイスは、キー／カードデバイス及びクライアントデバイスのうちの少なくとも一方である、
請求項６に記載のＢＬＥ受動型車両アクセス制御システム。
【請求項９】
前記キー／カードデバイスは、キーフォブ、キーカード、アクセスキー、アクセスカード、スマートカード及びスマートキーである、
請求項８に記載のＢＬＥ受動型車両アクセス制御システム。
【請求項１０】
前記クライアントデバイスは、スマートフォン、携帯情報端末（ＰＤＡ）、タブレット、ラップトップ、ポータブルパーソナルコンピュータ、ファブレット、ウェアラブルデバイス、シンデバイス、シックデバイス、エンターテインメントデバイス及びインフォテインメントデバイスである、
請求項８に記載のＢＬＥ受動型車両アクセス制御システム。
【請求項１１】
車両のためのアクセス制御システムにおいて、
前記車両の座標又は磁界の強度のうちの少なくとも一方を測定するためのセンサと、
前記センサと通信するプロセッサであって、外部デバイスと前記車両との間の接続を無効化するように構成されているプロセッサと、
を含む、アクセス制御システム。
【請求項１２】
前記センサは、位置受信機であり、
前記位置受信機は、前記車両内に配置されており、前記車両は、当該車両の座標を測定するために外部デバイスに通信可能に結合されている、
請求項１１に記載のアクセス制御システム。
【請求項１３】
前記座標は、前記車両の緯度及び経度と、高度とのうちの少なくとも１つである、
請求項１２に記載のアクセス制御システム。
【請求項１４】
前記センサは、前記車両によって生成された磁界の強度を測定するように構成された磁力計であり、
前記磁力計は、前記車両に通信可能に結合された外部デバイス内に配置されている、
請求項１１に記載のアクセス制御システム。
【請求項１５】
前記磁力計は、測定された前記磁界の強度を秘密の磁気キーによって暗号化し、測定された前記磁界の強度を前記秘密の磁気キーと共に前記車両に返送するようにさらに構成されている、
請求項１４に記載のアクセス制御システム。
【請求項１６】
車両の座標及び外部デバイスの座標のうちの少なくとも一方を測定することと、
外部デバイスと前記車両との間の接続を無効化することと、
を含み、
前記車両の座標と前記外部デバイスの座標とが相互に近接して一致しない、
方法。
【請求項１７】
当該方法は、
前記車両によって生成された磁界の強度を測定することと、
測定された前記磁界の強度を秘密の磁気キーによって暗号化することと、
測定された前記磁界の強度を前記秘密の磁気キーと共に前記車両に返送することと、
をさらに含む、請求項１５に記載の方法。
【発明の詳細な説明】
【技術分野】
【０００１】
本開示は、一般的には、リレーアタック防止アクセス制御システムに関し、より具体的には、リレーアタックからシステムを防御するためのＢＬＥ受動型車両アクセス制御システム及びその方法に関する。
【背景技術】
【０００２】
背景
本明細書中において別段の指示がない限り、本章に記載する材料は、本出願の特許請求の範囲に対する先行技術ではなく、本章に含められることによって先行技術であると認められることはない。
【０００３】
規格化されたパッシブエントリーシステム（ＰＥＳ）キーフォブは、典型的に、２つの無線周波数（ＲＦ）で動作する。例えば、Comfort Entry Go（ＣＥＧ）機能のために必要とされる近接性検出及び局在性のために、低周波（ＬＦ）通信が使用されている。超高周波（ＵＨＦ）のような他の周波数は、リモートキーレスエントリ（ＲＫＥ）機能のための通信範囲を拡張するために使用されている。パッシブエントリーシステム（ＰＥＳ）は、厳密な近接性／局在性の要件を有する。例えば、ＲＫＥ及びＣＥＧを提供するＰＥＳシステムにおいては、運転者又はアクセス権限保有者が車両から２ｍ以下の範囲内に存在している場合にのみ、車両がドアのロックを解除する。ＰＥＳ／ＣＥＧシステムによってさらに、ユーザ又は運転者は、キーフォブが車両の内側に位置している場合にのみ、エンジンを始動することが可能となる。これらの局在性の要件を満たすことは、あらゆる無線技術にとって困難である。従って、現在のシステムは、近接性／局在性の要件を満たすために、最適な電力制御に加えて、車両の内側及び外側の両方における例えば１２５ｋＨｚのＬＦアンテナを必要とする。他方で、ＲＫＥのためのキーフォブから車両への（即ち、ユーザがキーフォブのロック／ロック解除のボタンを明示的に押した場合の）通信リンクは、範囲の要件（〜５０ｍ）と、アンテナサイズの要件（即ち、アンテナは小さなキーフォブ内に収まる必要がある）とを満たすＵＨＦに基づいている。
【発明の概要】
【発明が解決しようとする課題】
【０００４】
これらのシステムは、リレーアタックに対して脆弱である。リレーアタックにおいては、アタッカは、アナログ増幅器のような中継器を使用して、車両のＰＥＳ又はキーフォブのいずれかからの受信信号を増幅し、システム又はキーフォブのいずれかに受信信号を再送する。このアタックにより、キーフォブは、運転者が車両の近傍に位置していると信じるようになるので、キーフォブは、アクセス制御命令をＵＨＦで車両に送信し、このことが今度は、車両のロックを解除する。より高度なアタックにおいては、あるアタッカは、受信信号の電力を測定し、送信電力を相応に調整することによって信号を複製することが可能である高度な中継器を使用する場合もある。
【０００５】
キーレスパッシブエントリーシステムが組み込まれたウェアラブル電子デバイスは、いくつかの利点に基づいて広く使用されるようになってきている。例えば、ユーザは、車両にアクセスするためにキーフォブに頼る必要はなく、ユーザはさらに、車両にアクセスするために、ＰＥＳが組み込まれたデバイスともキーフォブとも積極的に対話する必要はない。しかしながら、ＰＥＳが組み込まれたこれらのデバイスも、リレーアタックに対して脆弱である。
【０００６】
従って、長い間、リレーアタックからシステムを防御するために、改善された受動型車両アクセス制御システムを提供する必要性が感じられている。
【課題を解決するための手段】
【０００７】
概要
本明細書で開示される特定の実施形態の概要を以下に示す。それらの態様は、単にそれらの特定の実施形態の簡潔な概要を読者に提供するために提示されたものに過ぎず、それらの態様が、本開示の範囲を限定することを意図したものではないことを理解すべきである。実際に、本開示は、以下で説明されない可能性がある種々の態様を包含することができる。
【０００８】
ＢＬＥ受動型車両アクセス制御システムに関する本開示の実施形態は、車両と、車両に通信可能に結合された外部デバイスと、車両及び外部デバイスのうちの少なくとも一方の座標を特定するように構成されている位置受信機アセンブリと、位置受信機アセンブリに通信可能に結合されたプロセッサであって、車両の座標と外部デバイスの座標とが一致しない場合に、車両と外部デバイスとの間の通信を無効化するプロセッサと、を含む。位置受信機アセンブリは、第１の位置受信機及び第２の位置受信機を含み、第１の位置受信機は、車両の座標を特定し、第２の位置受信機は、外部デバイスの座標を特定する。座標は、車両及び外部デバイスの緯度及び経度と、高度とのうちの少なくとも１つを含む。ＢＬＥ受動型車両アクセス制御システムは、車両の座標と外部デバイスの座標とを比較するように構成されている比較器をさらに含む。位置受信機アセンブリは、全地球測位システム（ＧＰＳ）である。ＢＬＥ受動型車両アクセス制御システムは、車両によって生成された磁界の強度を測定し、測定された磁界を秘密の磁気キーによって暗号化し、測定された磁界を暗号化された秘密の磁気キーと共に車両に返送するように構成されている磁力計をさらに含む。磁力計は、外部デバイス内に配置されている。
【０００９】
本開示の他の例示的な実施形態によれば、アクセス制御システムは、車両の座標又は磁界の強度のうちの少なくとも一方を測定するためのセンサと、センサと通信するプロセッサであって、外部デバイスと車両との間の接続を無効化するように構成されているプロセッサとを含む。センサは、位置受信機であり、位置受信機は、車両内に配置されており、車両は、当該車両の座標を測定するために外部デバイスに通信可能に結合されている。座標は、車両の緯度及び経度と、高度とのうちの少なくとも１つである。センサは、車両によって生成された磁界の強度を測定するように構成された磁力計であり、磁力計は、車両に通信可能に結合された外部デバイス内に配置されている。磁力計は、測定された磁界の強度を秘密の磁気キーによって暗号化し、測定された磁界の強度を秘密の磁気キーと共に車両に返送するようにさらに構成されている。本開示の他の例示的な実施形態によれば、本方法は、車両の座標及び外部デバイスの座標のうちの少なくとも一方を測定することと、外部デバイスと車両との間の接続を無効化することとを含み、車両の座標と外部デバイスの座標とは、相互に近接して一致しない。本方法は、車両によって生成された磁界の強度を測定することと、測定された磁界の強度を秘密の磁気キーによって暗号化することと、測定された磁界の強度を秘密の磁気キーと共に車両に返送することとをさらに含む。
【００１０】
図面の簡単な説明
本開示の上記の特徴、態様及び利点並びに他の特徴、態様及び利点は、添付の図面を参照しながら以下の特定の例示的な実施形態の詳細な説明を読むことにより、より良好に理解されるであろう。なお、添付の図面においては、各図を通して同様の参照符号が同様のものを表している。
【図面の簡単な説明】
【００１１】
【図１】本開示の記載された実施形態によるシステムのブロック図である。
【図２】本開示によるＲＳＳプロファイルデータを示すグラフである。
【図３】本開示の他の記載された実施形態によるシステムのブロック図である。
【図４】本開示のさらに他の記載された実施形態によるシステムのブロック図である。
【図５】本開示の他の記載された実施形態によるシステムのブロック図である。
【発明を実施するための形態】
【００１２】
詳細な説明
以下の説明は、記載された実施形態を当業者が実現及び使用することを可能にするために提示されており、特定の用途及びその要件の文脈において提供されている。記載された実施形態に対する種々の修正は、当業者には容易に理解可能であり、本明細書で定義される一般的な原理を、記載された実施形態の精神及び範囲から逸脱することなく他の実施形態及び用途に適用することができる。従って、記載された実施形態は、例示された実施形態に限定されているわけではなく、記載された実施形態には、本明細書で開示される原理及び特徴に一致する最も広い範囲が認容されるべきである。
【００１３】
図１は、本開示によるシステム１０を示す。システム１０は、車両１２と、通信リンクを介して車両１２に通信可能に結合された外部デバイス１４とを含む受動型（パッシブ）車両アクセス制御システムである。図示のように、通信リンクは、Bluetooth Low Energy（ＢＬＥ）通信プロトコルが含まれるBluetooth（ＢＴ）通信プロトコル及びBluetooth（ＢＴ）通信規格である。外部デバイス１４は、キー／カードデバイス又は任意の他のクライアントデバイスのような任意のＢＬＥ対応のデバイスであり得る。外部デバイス１４は、産業界において一般的に知られている受動型車両アクセス制御機能も含む。キー／カードデバイスは、キーフォブ、キーカード、クライアントデバイス、アクセスキー、アクセスカード、スマートカード、スマートキー、又は、任意の適当なＢＬＥ対応のデバイスであり得る。クライアントデバイスは、Bluetooth Low Energyプロトコル又は適当なＢＴ通信プロトコルが含まれる、スマートフォン、携帯情報端末（ＰＤＡ）、タブレット、ラップトップ、ポータブルパーソナルコンピュータ、ファブレット、ウェアラブルデバイス、シンデバイス、シックデバイス、エンターテインメントデバイス、インフォテインメントデバイス、又は、任意の適当なポータブル／ウェアラブルデバイスであり得る。図示のように、キー／カードデバイスは、スマートキー１８であり、クライアントデバイスは、ファブレット１６であり、両方とも、ＢＬＥ受動型車両アクセス制御を備えている。複数の無線トランシーバ２０，２２，２４，２６は、車両１２の内部及び周囲のそれぞれ異なる場所に設置されている集積アンテナを含む。１つの実施形態においては、アンテナは、指向性アンテナである。用途に応じて、他の適当なアンテナが、トランシーバに組み込まれており又は結合されている。例えば、無線トランシーバ２０及び２４は、フロントドアのハンドルの近傍に設置される。無線トランシーバ２２は、車両の後端の近傍に設置されており、その一方で、無線トランシーバ２６は、車両の前端に設置されている。例えば、無線トランシーバ２６は、ダッシュボードの近傍の場所に配置されている。見て分かるように、車両の内側に向いている無線トランシーバ２６を除いて、残余の無線トランシーバ２０，２２，２４は、外側に向いている。任意の数のトランシーバ２０，２２，２４，２６は、広告ビーコンのような信号を定期的に送信して、車両１２の運転者又は権限保有者が携帯するスマートキー１８又はファブレット１６のうちの少なくとも一方に、車両１２の存在を知らせる。スマートキー１８又はファブレット１６のうちの一方が、これらの広告ビーコンを受信すると、スマートキー１８又はファブレット１６のうちの一方は、例えば、トランシーバ２０，２２，２４，２６を介して、車両１２との接続・認証プロセスを始動又は開始する。このプロセスの間、車両１２と、スマートキー１８又はファブレット１６のうちの一方とが、データパケットを連続的に交換し合う。このプロセスの完了時には、スマートキー１８又はファブレット１６のうちの一方が、ビーコンを定期的に送信し、その一方で、任意の数のトランシーバ２０，２２，２４，２６、又は、これらのトランシーバ２０，２２，２４，２６に結��されたＢＬＥ対応の受動型車両アクセス制御装置が、これらのビーコンの受信信号強度（ＲＳＳ）を測定して、スマートキー１８又はファブレット１６のうちの一方の位置を推定する。ＢＬＥ対応の受動型車両アクセス制御装置も、車両１２内に配置されている。いくつかの実施形態においては、２つ以上のＢＬＥ対応の受動型車両アクセス制御装置を車両１２内に設置して、その後、任意の数の通信リンクを介して任意の車載装置に結合することができる。いくつかの実施形態においては、ＢＬＥ対応の受動型車両アクセス制御装置は、車両１２の外部に遠隔配置されており、任意の適当な通信インターフェースを介して車両１２に通信可能に結合されている。他の実施形態においては、ＢＬＥ対応の受動型車両アクセス制御装置は、ネットワーク内に配置されている。ネットワークは、例えば、ローカルエリアネットワーク（ＬＡＮ）、メトロポリタンエリアネットワーク（ＭＡＮ）、ワイドエリアネットワーク（ＷＡＮ）、車両１２と外部デバイス１４との間に位置する複数のサブネットワークが含まれるプライマリネットワーク、クラウドネットワークなどであり得る。さらなる実施形態においては、ＢＬＥ対応の受動型車両アクセス制御装置は、サーバ上に配置されている。クラウドネットワークは、例えば、パブリッククラウドネットワーク、プライベートクラウドネットワークであり得る。
【００１４】
車両へのアクセスを制御する際におけるセキュリティの水準を高め、車両１２と外部デバイス１４の間で確立される通信中に実行されるリレーアタックからシステム１０を防御するために、外部デバイス１４内に配置された動き検出器２８が設けられている。１つの実施形態においては、動き検出器２８は、加速度計を含み、複数の異なる種類の動き及び振動を検出及び識別するように構成されている。いくつかの実施形態においては、動き検出器２８は、動きセンサ、ジャイロスコープ、磁力計、振動センサ、又は、任意の他の適当なセンサを含む。コンピュータ実行可能命令又はデータ構造のセットの形態の所望のプログラムコードを、動き検出器２８に格納することができ、これらの命令によって動き検出器２８は、複数の異なる種類の動き及び振動を検出及び識別することが可能となる。加速度計２８に結合されたプロセッサは、加速度データが含まれた測定情報を受信し、加速度データを、以下で詳細に説明するような所定の基準のセットと比較し、外部デバイス１４の動き又は振動に関連する加速度データを識別する。プロセッサはさらに、加速度データを分析して、動き及び振動のシーケンスが、所定の基準のセットと一致するかどうか、即ち、動き及び振動の予想シーケンスと一致するかどうかを判断する。所定の基準のセットは、例えば車両への接近又は車両からの退去のような、顕著な動き又は最大の動き、例えばシングルステップ検出のような、最小の動き、例えば位置の無変化のような、動きの非存在、振動モードなどを含む。動き及び振動のシーケンスが、所定の基準のセットと一致しない場合には、車両１２と外部デバイス１４との間の双方向通信が無効化され、このことが今度は、如何なるリレーアタックをも中断する。
【００１５】
外部デバイス１４の動き検出器２８、又は、車両１２内に配置されたプロセッサは、本物の動きイベントと、偽物の動きイベントとを識別するように構成され得る。例えば、車両１２内に配置されたプロセッサは、動き検出器２８から、加速度データが含まれた測定情報を受信し、加速度データを所定の基準のセットと比較し、本物の動きイベントと偽物の動きイベントとの間で加速度データを識別する。イベントが偽物の動きイベントであると判断された場合、即ち、外部デバイス１４が動いていない場合には、車両１２及び外部デバイス１４をあらゆるリレーアタックから防御するために、車両１２と外部デバイス１４との間の双方向通信が無効化される。１つの例においては、プロセッサ及び加速度計を、動き検出器２８に組み込むことができる。他の例においては、プロセッサは、外部デバイス１４の内側の任意の位置に配置されており、動き検出器２８から独立したコンポーネントである。さらに他の例においては、プロセッサが、車両１２内に配置されており、動き検出器２８が、プロセッサに通信可能に結合されている。
【００１６】
車両へのアクセスを制御する際における他の水準のセキュリティを提供し、車両１２と外部デバイス１４との間で確立される通信中におけるリレーアタックからシステム１０を防御するために、ＴＸ電力プロファイリングが含まれるコンピュータ実行可能命令のセットを有するマイクロプロセッサ３０が設けられている。接続・認証フェーズの間、外部デバイス１４と車両１２とが、いくつかのパケットを相互に送信し合う。例えば、外部デバイス１４のような送信デバイスは、連続送信の送信（ＴＸ）電力レベルを、特定の秘密パターンに従って変調し、これにより、車両１２のような通信リンクの受信端において、同一のＲＸ電力（ＲＳＳ）レベルプロファイルを作成し、これが認証として機能し、その後、外部デバイス１４と車両１２との間の接続が確立される。車両１２内の通信リンクの受信端は、連続的に着信する信号のＲＸ電力（ＲＳＳ）レベルを測定し、連続的に着信する信号のＲＸ電力レベルを、機械可読媒体に格納されている所定の安全なパターンと比較する。機械可読媒体は、車両１２、外部デバイス１４、ネットワーク又はサーバのいずれかに配置することができる。着信する信号のＲＳＳが一定である場合には、車両１２と外部デバイス１４との間の通信が無効化され、このことが今度は、如何なるリレーアタックをも中断する。図２Ａは、アタッカによって生成された一定のＲＳＳプロファイルのグラフ４０を示す。次に、図２Ｂを参照すると、秘密のＴＸ電力プロファイルは、グラフ４８として示される特定の秘密のＲＳＳプロファイルパターンを生成する。見て分かるように、車両１２及び外部デバイス１４の両方は、受信信号の電力を測定し、その後、結果的に生じるＲＳＳプロファイルを、所定の安全なＴＸ電力プロファイルと比較することにより、リレーアタックの存在を検出することが可能である。１つの実施形態においては、送信電力レベルを変化させることにより、接続・認証フェーズ中に同等のパケット（メッセージ）が複数回送信される。他の実施形態においては、送信電力レベルを変化させることにより、接続・認証フェーズ中に各パケット（メッセージ）が送信される。さらに他の実施形態においては、パケット（メッセージ）を送信するために使用される送信電力レベルを、暗号化された送信パケットのペイロードに追加することができる。車両１２内の通信リンクの受信端は、受信したパケットのＲＳＳを測定し、この値を、暗号化された応答パケットのペイロードに追加する。今度は、送信装置１４がこの情報をさらに使用して、自身の送信電力レベルを同等のレベルに調整する。
【００１７】
図３は、本開示による他のシステム６０を示す。システム６０は、気圧を測定するように構成された気圧センサ６４を含み、この気圧センサ６４が、測定された気圧を最終的に高度値に変換するという点を除いて、図１に示されるシステム１０と同一である。車両１２の高度値が外部デバイス１４の高度値と一致しない場合には、車両１２と外部デバイス１４との間の双方向通信が無効化され、このことが今度は、如何なるリレーアタックをも中断する。高度又は気圧を読み取るこのプロセスは、車両１２と外部デバイス１４との間に確立される通信中におけるリレーアタックからシステム６０を防御するために、車両１２へのアクセスを制御する際における所定の水準のセキュリティを提供する。１つの実施形態においては、気圧センサ６４は、動き検出器２８に組み込まれている。他の実施形態においては、気圧センサ６４は、動き検出器２８に通信可能に結合された別個のコンポーネントであり得る。コンピュータ実行可能命令又はデータ構造のセットの形態の適当なプログラムコードを、気圧センサ６４に格納することができ、これらの命令によって気圧センサ６４は、気圧レベルを測定し、車両１２の結果的に生じる高度と、外部デバイス１４の結果的に生じる高度とを比較する。いくつかの実施形態においては、図１において前述されたプロセッサは、加速度計２８によって収集された加速度データを所定の基準のセットと比較し、外部デバイス１４の動き又は振動に関連する加速度データを識別することが可能であるのみならず、車両１２の高度と外部デバイス１４の高度とを比較することも可能である。
【００１８】
図４は、本開示による他のシステム８０を示す。システム８０は、当該システムの現在の位置を特定するための位置受信機８２を含むという点を除いて、図１に示されるシステム１０と同一である。１つの実施形態においては、位置受信機８２は、システムの緯度及び経度のような現在の座標を特定するように構成された全地球測位システム（ＧＰＳ）である。他の実施形態においては、位置受信機８２は、システム８０の緯度及び経度以外の高度を特定することができる。外部デバイス１４及び車両１２の各々が、位置受信機８２を含む。外部デバイス１４の位置受信機８２は、外部デバイス１４の現在の位置詳細を、適当な通信プロトコルを介して車両１２に送信する。車両１２の位置受信機８２は、外部デバイス１４の現在の位置詳細を受信し、受信した外部デバイス１４の現在の位置詳細を、車両１２の現在の位置詳細と比較する。車両１２及び外部デバイス１４の両方の位置詳細が相互に一致しない場合には、車両１２と外部デバイス１４との間の双方向通信が無効化され、認証プロセスが終了させられる。いくつかの実施形態においては、車両１２及び外部デバイス１４の両方の現在の位置詳細を比較するために、任意選択的な比較器を設けることができる。車両１２及び外部デバイス１４の現在の位置詳細が相互に一致しない場合には、車両１２と外部デバイス１４との間の双方向通信が無効化され、認証プロセスが終了させられる。１つの実施形態においては、比較器を、位置受信機８２に組み込むことができる。他の実施形態においては、比較器を、位置受信機８２に結合することができる。
【００１９】
図５は、本開示による他のシステム１００を示す。システム１００は、車両１２によって生成された磁界の強度を測定するように構成されているという点を除いて、図１に示されるシステム１０と同一である。図示のように、車両１２は、トランシーバ２０，２２，２４，２６と同様の場所に配置された少なくとも１つの電磁石Ｅを含む。いくつかの実施形態においては、電磁石Ｅを、トランシーバ２０，２２，２４，２６の内部に配置することができる。他の実施形態においては、電磁石Ｅを、トランシーバ２０，２２，２４，２６に隣接して配置することができる。３つの電磁石Ｅが図示されているが、本開示の範囲から逸脱することなく任意の数の電磁石が推奨され得る。スマートキー１８、シンクライアント２８、又は、任意の適当なデバイスのような外部デバイス１４は、磁力計のような少なくとも１つのセンサ９２を含む。外部デバイス１４を複製するリレーアタッカからのパッケージが車両１２によって受信されると、車両１２は、ランダムに生成された秘密のキーに従って、強度の変化が含まれる磁界を生成する。外部デバイス１４のうちのいずれか１つは、磁力計９２を使用して、車両１２によって生成された磁界の強度を測定する。磁力計９２は、測定された磁界を秘密の磁気キーによって暗号化し、測定された磁界を暗号化された秘密の磁気キーと共に車両１２に返送する。このプロセスは、外部デバイス１４が本当に車両１２の近傍に存在するということを確認する。磁気指紋が、外部デバイス１４のうちの少なくとも１つによって識別可能でもなく測定可能でもない場合には、外部デバイス１４は、磁気指紋が含まれるパッケージを受信し、受信したパッケージが、車両１２によって送信されたものではなく、アタッカのような他の不正なデバイスから送信されたものであると判断する。外部デバイス１４は、あらゆる進行中のアタックを検出し続け、車両１２との通信を停止する。
【００２０】
上述した実施形態は、例として示されたものであり、これらの実施形態が、種々の修正形態及び代替形態の影響を受けやすいことを理解すべきである。特許請求の範囲は、開示された特定の形態に限定されることを意図したものではなく、本開示の精神及び範囲に含まれる全ての修正形態、等価形態及び代替形態を網羅するものであることをさらに理解すべきである。
【００２１】
本開示の範囲内の各実施形態は、コンピュータ実行可能命令又は内部に記憶されたデータ構造を担持又は保持するための、非一時的なコンピュータ可読記憶媒体又は機械可読媒体を含むこともできる。そのような非一時的なコンピュータ可読記憶媒体又は機械可読媒体は、汎用又は専用のコンピュータによってアクセス可能な任意の利用可能な媒体であってもよい。限定ではなく例として、このような非一時的なコンピュータ可読記憶媒体又は機械可読媒体は、ＲＡＭ、ＲＯＭ、ＥＥＰＲＯＭ、ＣＤ−ＲＯＭ又は他の光学的なディスク記憶装置、磁気的なディスク記憶装置又は他の磁気的な記憶装置、又は、所望のプログラムコード手段をコンピュータ実行可能命令若しくはデータ構造の形態で担持若しくは記憶するために使用することができる任意の他の媒体を含むことができる。上記の組合せも、非一時的なコンピュータ可読記憶媒体又は機械可読媒体の範囲内に含めるべきである。
【００２２】
各実施形態は、通信ネットワークを介して（有線リンク、無線リンク又はそれらの組合せのいずれかによって）リンクされたローカル及びリモートの処理装置によってタスクが実行される分散コンピューティング環境においても実施され得る。
【００２３】
コンピュータ実行可能命令は、例えば、汎用のコンピュータ、専用のコンピュータ、又は、専用の処理装置に特定の機能若しくは機能群を実行させる命令及びデータを含む。コンピュータ実行可能命令は、スタンドアローン環境又はネットワーク環境においてコンピュータによって実行されるプログラムモジュールも含む。一般に、プログラムモジュールは、特定のタスクを実行する又は特定の抽象データ型を実装するルーチン、プログラム、オブジェクト、コンポーネント及びデータ構造等を含む。コンピュータ実行可能命令、関連するデータ構造、及び、プログラムモジュールは、本明細書で開示される方法のステップを実行するためのプログラムコード手段の例を表している。そのような実行可能命令又は関連するデータ構造の特定のシーケンスは、そのようなステップで記載された機能を実現するための対応する動きの例を表している。
【００２４】
本特許について種々の実施形態を参照しながら説明してきたが、これらの実施形態が例示的なものであり、本開示の範囲がこれらの実施形態に限定されていないことが理解されよう。多数の変形、修正、追加及び改良が可能である。より一般的には、本特許に従った実施形態を、特定の実施形態の文脈において説明してきた。各機能を、本開示の種々の実施形態において種々異なるように分離すること、又は、種々異なるようにブロックに結合すること、又は、種々異なる技術用語で記述することができる。これらの及び他の変形、修正、追加及び改良を、以下の特許請求の範囲において規定される本開示の範囲内に含めることができる。
【図１】
2020521073.tif 000003
【図２】
2020521073.tif 000004
【図３】
2020521073.tif 000005
【図４】
2020521073.tif 000006
【図５】
2020521073.tif 000007
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
車両と、
前記車両に通信可能に結合された外部デバイスと、
前記車両及び前記外部デバイスのうちの少なくとも一方の座標を特定するように構成されている位置受信機アセンブリと、
前記位置受信機アセンブリに通信可能に結合されたプロセッサであって、前記車両の座標と前記外部デバイスの座標とが一致しない場合に、前記車両と前記外部デバイスとの間の通信を無効化するプロセッサと、
を含むＢＬＥ（Bluetooth Low Energy）受動型車両アクセス制御システム。
【請求項２】
前記位置受信機アセンブリは、第１の位置受信機及び第２の位置受信機を含み、
前記第１の位置受信機は、前記車両の座標を特定し、前記第２の位置受信機は、前記外部デバイスの座標を特定する、
請求項１に記載のＢＬＥ受動型車両アクセス制御システム。
【請求項３】
前記座標は、前記車両及び前記外部デバイスの緯度及び経度と、高度とのうちの少なくとも１つを含む、
請求項２に記載のＢＬＥ受動型車両アクセス制御システム。
【請求項４】
前記車両の座標と前記外部デバイスの座標とを比較するように構成されている比較器をさらに含む、
請求項３に記載のＢＬＥ受動型車両アクセス制御システム。
【請求項５】
前記位置受信機アセンブリは、全地球測位システム（ＧＰＳ）である、
請求項２に記載のＢＬＥ受動型車両アクセス制御システム。
【請求項６】
前記車両によって生成された磁界の強度を測定し、測定された前記磁界を秘密の磁気キーによって暗号化し、測定された前記磁界を暗号化された秘密の磁気キーと共に前記車両に返送するように構成されている磁力計をさらに含む、
請求項２に記載のＢＬＥ受動型車両アクセス制御システム。
【請求項７】
前記磁力計は、前記外部デバイス内に配置されている、
請求項６に記載のＢＬＥ受動型車両アクセス制御システム。
【請求項８】
前記外部デバイスは、キー／カードデバイス及びクライアントデバイスのうちの少なくとも一方である、
請求項６に記載のＢＬＥ受動型車両アクセス制御システム。
【請求項９】
前記キー／カードデバイスは、キーフォブ、キーカード、アクセスキー、アクセスカード、スマートカード及びスマートキーを含むグループから選択されたいずれか１つ又はそれらの組合せである、
請求項８に記載のＢＬＥ受動型車両アクセス制御システム。
【請求項１０】
前記クライアントデバイスは、スマートフォン、携帯情報端末（ＰＤＡ）、タブレット、ラップトップ、ポータブルパーソナルコンピュータ、ファブレット、ウェアラブルデバイス、シンデバイス、シックデバイス、エンターテインメントデバイス及びインフォテインメントデバイスを含むグループから選択されたいずれか１つ又はそれらの組合せである、
請求項８に記載のＢＬＥ受動型車両アクセス制御システム。
【請求項１１】
車両のためのアクセス制御システムにおいて、
前記車両の座標又は磁界の強度のうちの少なくとも一方を測定するためのセンサと、
前記センサと通信するプロセッサであって、外部デバイスと前記車両との間の接続を無効化するように構成されているプロセッサと、
を含む、アクセス制御システム。
【請求項１２】
前記センサは、位置受信機であり、
前記位置受信機は、前記車両内に配置されており、前記車両は、当該車両の座標を測定するために外部デバイスに通信可能に結合されている、
請求項１１に記載のアクセス制御システム。
【請求項１３】
前記座標は、前記車両の緯度及び経度と、高度とのうちの少なくとも１つである、
請求項１２に記載のアクセス制御システム。
【請求項１４】
前記センサは、前記車両によって生成された磁界の強度を測定するように構成された磁力計であり、
前記磁力計は、前記車両に通信可能に結合された外部デバイス内に配置されている、
請求項１１に記載のアクセス制御システム。
【請求項１５】
前記磁力計は、測定された前記磁界の強度を秘密の磁気キーによって暗号化し、測定された前記磁界の強度を前記秘密の磁気キーと共に前記車両に返送するようにさらに構成されている、
請求項１４に記載のアクセス制御システム。
【請求項１６】
車両の座標及び外部デバイスの座標のうちの少なくとも一方を測定することと、
前記車両の座標と前記外部デバイスの座標とが一致しない場合に、前記外部デバイスと前記車両との間の接続を無効化することと、
を含む、
方法。
【請求項１７】
当該方法は、
前記車両によって生成された磁界の強度を測定することと、
測定された前記磁界の強度を秘密の磁気キーによって暗号化することと、
測定された前記磁界の強度を前記秘密の磁気キーと共に前記車両に返送することと、
をさらに含む、請求項１６に記載の方法。
【手続補正２】
【補正対象書類名】明細書
【補正対象項目名】０００９
【補正方法】変更
【補正の内容】
【０００９】
本開示の他の例示的な実施形態によれば、アクセス制御システムは、車両の座標又は磁界の強度のうちの少なくとも一方を測定するためのセンサと、センサと通信するプロセッサであって、外部デバイスと車両との間の接続を無効化するように構成されているプロセッサとを含む。センサは、位置受信機であり、位置受信機は、車両内に配置されており、車両は、当該車両の座標を測定するために外部デバイスに通信可能に結合されている。座標は、車両の緯度及び経度と、高度とのうちの少なくとも１つである。センサは、車両によって生成された磁界の強度を測定するように構成された磁力計であり、磁力計は、車両に通信可能に結合された外部デバイス内に配置されている。磁力計は、測定された磁界の強度を秘密の磁気キーによって暗号化し、測定された磁界の強度を秘密の磁気キーと共に車両に返送するようにさらに構成されている。本開示の他の例示的な実施形態によれば、本方法は、車両の座標及び外部デバイスの座標のうちの少なくとも一方を測定することと、車両の座標と外部デバイスの座標とが一致しない場合に、外部デバイスと車両との間の接続を無効化することとを含む。本方法は、車両によって生成された磁界の強度を測定することと、測定された磁界の強度を秘密の磁気キーによって暗号化することと、測定された磁界の強度を秘密の磁気キーと共に車両に返送することとをさらに含む。
【国際調査報告】
2020521073.tif 000008
2020521073.tif 000009
2020521073.tif 000010